(57)【特許請求の範囲】
【請求項１】
マルチパスフェージングに強い変調波を用いて移動体からの電波を送信し、該移動体から送信された電波を複数の受信中継局で受信し、それぞれ異なる複数の周波数帯に変換して再送信するとともに、該再送信された複数の電波を１つの受信局で受信集約し、それぞれ受信した前記複数の電波を共通の中間周波数帯に変換して合成し、該合成された中間周波数信号について伝送路特性の等化を行い、合成した信号のうち最もレベルの大きい中継ルートの信号を希望信号として認識して復調することを特徴とする移動中継伝送方法。
【請求項２】
請求項１記載の方法において、前記マルチパスフェージングに強い変調波が周波数直交分割多重変調波であることを特徴とする移動中継伝送方法。
【請求項３】
請求項１または２記載の方法において、前記受信集約が、前記１つの受信局の複数の受信機の高周波帯から中間周波帯への変換にあたり、１つの共通な基準周波数信号にそれぞれ周波数ロックされることを特徴とする移動中継伝送方法。
【請求項４】
請求項１から３いずれかに記載の方法において、前記周波数ロックのために、前記マルチパスフェージングに強い変調信号に含まれる同期信号またはパイロット信号が利用されることを特徴とする移動中継伝送方法。
【発明の詳細な説明】
【０００１】
【発明の属する技術分野】
この発明は、ディジタルテレビジョン素材移動中継伝送方法における周波数直交分割多重変調方法などマルチパスフェージングに強い変調方法の利用に係り、特に、移動体からの送信電波を複数の受信中継局を介して、唯１個所の受信局で復調する移動中継伝送方法および受信装置に関するものである。
【０００２】
【従来の技術】
従来、移動体から送信される電波（ＦＭまたはＡＭ波）を複数の受信中継局を介して中継する場合には、各受信中継局で受信された信号を周波数変換して再送信し、それらをひとつの受信局に集約し、移動体からの信号を途切れなく復調するために、各受信中継局からの信号を前記受信局でそれぞれ個別に復調し、それらの信号を例えば手動で切り替える方法がとられてきた。それは周波数、位相、遅延時間の整合の点で、１個の復調装置にまとめるのが困難であったからである。
【０００３】
【発明が解決しようとする課題】
従来技術では、移動体から送信される電波を複数の受信中継局を介して中継する場合、各受信中継局から送られてくる移動体からの信号を途切れなく受信するために、各個別の復調手段の出力を例えば手動により切り替えることが不可欠であり、また、切り替えるタイミングを明示するために、別回線による移動体から前記受信局への連絡などが不可欠であるという課題があった。
【０００４】
そこで本発明の目的は、これら不可欠な課題を排除し、かかる移動体からの移動中継伝送方法において、各受信中継局からの信号を途切れることなく、自動的に切り替え可能な移動中継伝送方法を提供せんとするものである。
【０００５】
【課題を解決するための手段】
この目的を達成するため本発明移動中継伝送方法は、マルチパスフェージングに強い変調波を用いて移動体からの電波を送信し、該移動体から送信された電波を複数の受信中継局で受信し、それぞれ異なる複数の周波数帯に変換して再送信するとともに、該再送信された複数の電波を１つの受信局で受信集約し、それぞれ受信した前記複数の電波を共通の中間周波数帯に変換して合成し、該合成された信号について伝送路特性の等化を行い、合成した信号のうち最もレベルの大きい中継ルートの信号を希望信号として認識して復調することを特徴とするものである。
【０００７】
【発明の実施の形態】
本発明はマルチフェージングに強いＯＦＤＭ変調波などを移動中継伝送波に使用すれば、受信局において複数の受信中継電波を比較的容易に合成することができ（周波数、位相、遅延時間の整合に左程困難性をともなはれない）、１つの復調装置に集約することが可能であろうということに着目してなされた発明である。
【０００８】
さて以下添付図面を参照し実施例により本発明の実施の形態を詳細に説明する。
図１は本発明伝送方法に係る実施例の線図的構成図を示す。
図１において、移動体１で変調装置（マルチパスフェージングに強い変調波を作る変調装置、例えばＯＦＤＭ変調装置）１００によってつくられたＩＦ帯変調信号１０１は、送信機１０２によりＲＦ帯の信号に変換され、送信アンテナ１０３から発射される。発射された電波のうち電波１０４が受信中継局（１）２の受信アンテナ１０５で受信され、受信機１０６でＩＦ帯に変換されＩＦ信号１０７になる。ＩＦ信号１０７は送信機１０８によりＲＦ帯に変換され、送信アンテナ１０９から伝送電波１１０として受信局５の受信アンテナ１１１に向け発射される。受信局５では受信中継局（１）から受信した電波を受信機１１２によりＩＦ帯に変換しＩＦ信号１１３を得る。
【０００９】
他の中継ルートについても、上記と同様に、移動体１から発射された電波のうち１１４，１１５が受信中継局（２）３、受信中継局（Ｎ）４で受信され、それぞれ周波数変換され伝送電波１１６，１１７として受信局５に伝送される。受信局５ではそれぞれの電波を受信アンテナ１１８，１１９で受信し、受信機１２０，１２１でＩＦ信号１２２，１２３となる。
【００１０】
ここで、各受信中継局から伝送されたＩＦ信号１１３，１２２，１２３は、各受信機１１２，１２０，１２１で、基準周波数信号発生器１２７から出力される基準周波数信号１２８（例えばＩＦ帯中心周波数信号）に周波数ロックされるものとする。各ＩＦ信号は合成機１２４で加え合わされ、それらの合成信号１２５を一括して復調装置（例えばＯＦＤＭ復調装置）１２６で復調する。
【００１１】
上述の場合、変調方法としてマルチパスに強いＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，  周波数直交分割多重）を用いたり、他のディジタル変調方法ＱＰＳＫ（Ｑｕａｒｔｅｒｎａｒｙ  Ｐｈａｓｅ  Ｓｈｉｆｔ  Ｋｅｙｉｎｇ，  ４相位相シフトキーイング）やＱＡＭ（Ｑｕａｄｒａｔｕｒｅ  Ａｍｐｌｉｔｕｄｅ  Ｍｏｄｕｌａｔｉｏｎ，直交振幅変調）などであってもマルチパスによる伝送路特性の等化が完全に行われるものとすれば、合成した信号のうち最もレベルの大きい中継ルートの信号を希望信号として認識し、その他の信号はマルチパスによる干渉波と同様に扱い復調することができ、移動体の移動に伴って、最も安定した受信中継局のルートを自動的に次々に切り替えることが可能となる。
【００１２】
図２に従来方法に係る移動中継伝送方法実施例の線図的構成を示す。この場合送信電波の変調波は一般的にＦＭまたはＡＭ波である。従ってこの図の各部品、各装置および伝送路には図１とそれぞれ異なる参照番号を付したが、図２を図１と比較すれば明らかなごとく、変調装置２００の変調方法が図１の変調装置のそれと異なること以外は、電波の送受信および伝送の形態は、参照番号２００から２２３まで図１の参照番号１００から１２３までにそれぞれ対応しておなじである（百番違いの参照番号である）。
【００１３】
その先の信号処理が図１のそれと大きく異なる。従来方法では、受信中継局（１）７，受信中継局（２）８，受信中継局（Ｎ）９から伝送された電波２１０，２１６，２１７は受信局１０に集められるが、受信アンテナ２１１，２１８，２１９で受信された信号は、受信機２１２，２２０，２２１でＩＦ信号２１３，２２２，２２３に変換され、それぞれの復調装置２２４，２２５，２２６で復調された復調信号２２７，２２８，２２９を切り替え器２３０により手動で切り替えることにより、移動体からの信号を移動体の移動に追従して受信した信号２３１として確保している。この中継形態では、各中継ルート毎に復調装置２２４，２２５，２２６が必要であり、また、受信局での中継ルート切り替えのために、移動体から受信中継局切り替えの予告コールや切り替えタイミングなどの情報を伝送するための連絡回線も必要となる。
【００１４】
図３は、本発明方法を適用した場合の受信局５における各受信中継局２，３，４からの電波を受信する受信機の周波数ロック回路構成の例を示すブロック線図である。
【００１５】
受信されたＲＦ信号３００は、ＲＦ帯帯域通過フィルタ（ＢＰＦ）３０１により帯域制限され信号３０２となる。信号３０２の中心周波数をｆＲＦ、またＩＦ帯での中心周波数をＦＩＦとすると、信号３０２は、電圧制御発振器（ＶＣＯ）３０３から出力される周波数ｆＲＦ−ｆＩＦの連続正弦波信号３０４とマルチプレクサ３０５で掛け合わされダウンコンバートされた信号をＩＦ帯帯域通気フィルタ（ＢＰＦ）３０６を通すことにより、ＩＦ帯の信号３０７となる。
【００１６】
ＩＦ帯信号３０７は２分配され、ひとつは受信機の出力信号３０８となり他の中継ルートで伝送されたＩＦ信号と加え合わされる。もうひとつの信号３０９はパイロット信号抽出回路３１０の入力信号となる。例えば、パイロット信号としてＩＦ帯の中心周波数ｆＩＦのキャリア信号が間欠的に送信されているとすると、抽出回路３１０によって、中心周波数ｆＩＦのキャリア信号が送信されている区間のみが抽出された信号３１１が出力される。抽出された信号３１１は分周器３１２により１／Ｎに分周され信号３１３になる。
【００１７】
一方、受信器を周波数ロックするための基準信号が、外部の基準信号発生器３１４から与えられる。基準信号３１５をＩＦ帯の中心周波数ｆＩＦの連続正弦波信号とし、この信号を分周器３１６で１／Ｎに分周した信号３１７と、パイロット信号からつくられた信号３１３とを位相比較器３１８（ＰＣ）に入力し、その位相差に比例した信号３１９を得る。信号３１９は周波数ロックのためのループフィルタ３２０を通り、ＶＣＯ３０３を制御する電圧信号３２１を得る。制御電圧信号３２１は、制御回路３２２によりパイロット信号抽出回路３１０から送られるパイロット信号がある期間のみ制御する信号３２４となり、これによりＶＣＯ３０３の周波数を変化させ、ＩＦ帯の信号３０７が外部から供給される基準信号３１５に周波数ロックするように制御される。
【００１８】
他の中継ルートに関しても、共通の基準信号に同様に周波数ロックさせ、ＩＦ帯の信号を合成し一括して復調することとなる。
【００１９】
以上本発明に係る実施例を従来技術のそれと比較して詳細に説明してきたが、本発明はこの実施例に限定されることなく、請求項に記載された発明の要旨内で各種の変形、変更のあることは自明であろう。
【００２０】
【発明の効果】
以上詳細に説明してきたように、本発明によれば、複数の受信中継局を介して移動帯から発射される信号を中継する場合において、各中継ルートの信号を集約する受信局で、中継ルート毎の復調装置が必要でなくなり、一括して復調することができ、各中継ルートの切り替えも自動で行うことが可能となった。
【図面の簡単な説明】
【図１】本発明を適用した移動中継伝送方法の実施例構成ブロック線図。
【図２】従来の技術による移動中継伝送方法の実施例構成ブロック線図。
【図３】本発明を適用した場合の受信局の受信機の周波数制御回路実施例の構成ブロック線図。
【符号の説明】
１，６  移動体
２，３，４，７，８，９  受信中継局
５，１０  受信局
１００  ，２００    移動体の変調装置
１０２  ，２０２    移動体の送信機（ＩＦ→ＲＦ）
１０３  ，２０３    移動体の送信アンテナ
１０５  ，２０５    受信中継局の受信アンテナ
１０６  ，２０６    受信中継局の受信機（ＲＦ→ＩＦ）
１０８  ，２０８    受信中継局の送信機（ＩＦ→ＲＦ）
１０９  ，２０９    受信中継局の送信アンテナ
１１１  ，１１８  ，１１９  ，２１１  ，２１８  ，２１９    受信局の受信アンテナ
１１２  ，１２０  ，１２１  ，２１２  ，２２０  ，２２１    受信局の受信機（ＲＦ→ＩＦ）
１２４    合成器
２３０    切り替え器
１２６  ，２２４  ，２２５  ，２２６    受信局の復調装置
３０１    ＲＦ帯帯域通過フィルタ（ＢＰＦ）
３０３    電圧制御発振器（ＶＣＯ）
３０５    マルチプレクサ
３０６    ＩＦ帯帯域通過フィルタ（ＢＰＦ）
３１０    パイロット信号抽出回路
３１２  ，３１６    １／Ｎ分周器
３１４    基準信号発生器
３１８    位相比較器
３２０    ループフィルタ
３２２    周波数ロックループ制御回路
【図１】
0003588403.tif 000002
【図２】
0003588403.tif 000003
【図３】
0003588403.tif 000004